(57)【要約】  ニコチン粉末送達システムは、吸入器物品および吸入器物品内に配置されたニコチン粉末カプセルを含む。ニコチン粉末カプセルは、空気が吸入器物品を通って流れる時、長軸方向軸の周りを回転する。
2019506914.tif 000002
【特許請求の範囲】
【請求項１】
ニコチン粉末送達システムであって、
吸入器物品であって、
マウスピース部分と遠位端部分の間に延びる吸入器本体と、
前記吸入器本体内、および前記マウスピース部分と前記遠位端部分の間に配置されたニコチン粉末容器と、
前記吸入器本体を通り前記ニコチン粉末容器内に延びる空気吸込み口ポートと、
前記ニコチン粉末容器を前記マウスピースの近位端と流体接続させるマウスピース空気チャネルとを備えるものと、
前記ニコチン粉末容器内に配置されているニコチン粉末を含むニコチン粉末カプセルであって、空気が前記空気吸込み口ポートから前記マウスピース空気チャネルに流れる時、前記ニコチン粉末カプセルが長軸方向軸の周りを回転するものとを備えた、ニコチン粉末送達システム。
【請求項２】
前記空気吸込み口ポートが前記ニコチン粉末カプセルの前記長軸方向軸からオフセットされている、請求項１に記載のニコチン粉末送達システム。
【請求項３】
前記ニコチン粉末容器が円形の断面形状を有し、かつ前記空気吸込み口ポートが前記ニコチン粉末容器に正接する、請求項１または２に記載のニコチン粉末送達システム。
【請求項４】
前記空気吸込み口ポートが第一の空気吸込み口ポートおよび第二の空気吸込み口ポートを備える、請求項１〜３のいずれか一項に記載のニコチン粉末送達システム。
【請求項５】
前記ニコチン粉末容器が円形の断面形状を有し、かつ前記第一の空気吸込み口ポートが前記ニコチン粉末容器に正接し、前記第二の空気吸込み口ポートが前記ニコチン粉末容器に正接する、請求項４に記載のニコチン粉末送達システム。
【請求項６】
前記第一の空気吸込み口ポートが前記第二の空気吸込み口ポートに対向する、請求項５に記載のニコチン粉末送達システム。
【請求項７】
前記ニコチン粉末容器が円形の断面形状および第一の直径を有し、また前記ニコチン粉末カプセルが前記第一の直径よりも小さい第二の直径を有し、前記第二の直径が前記第一の直径約８０％〜約９９％の範囲であるか、または前記第二の直径が前記第一の直径の約９０％〜約９８％の範囲である、請求項１〜６のいずれか一項に記載のニコチン粉末送達システム。
【請求項８】
遠位端部分が約１２０ｍｍ  ＷＧよりも大きな引き出し抵抗（ＲＴＤ）を有するエンドキャップ要素を有し、前記ニコチン粉末送達システムが約５０ｍｍ  ＷＧ〜約１００ｍｍ  ＷＧの範囲の引き出し抵抗（ＲＴＤ）を有する、請求項１〜７のいずれか一項に記載のニコチン粉末送達システム。
【請求項９】
前記ニコチン粉末がニコチンを含む粒子を含み、約１０マイクロメートル以下、または約５マイクロメートル以下、または約１マイクロメートル〜約３マイクロメートルの範囲の空気動力学的中央粒子径を有する、請求項１〜８のいずれか一項に記載のニコチン粉末送達システム。
【請求項１０】
前記ニコチンを含む粒子がニコチン塩またはニコチン塩水和物を含む、請求項９に記載のニコチン粉末送達システム。
【請求項１１】
前記ニコチンを含む粒子が、ロイシン被覆またはＬ−ロイシン被覆などのアミノ酸被覆を含む、請求項９または１０に記載のニコチン粉末送達システム。
【請求項１２】
前記ニコチン粉末カプセルが、風味を含む粒子を含み、約２０マイクロメートル以上、または約５０マイクロメートル〜約１５０マイクロメートルの範囲の空気動力学的中央粒子径を有する、請求項９または１０に記載のニコチン粉末送達システム。
【請求項１３】
前記エンドキャップ要素を通過し、前記ニコチン粉末カプセルに単一の開口部を貫通させる貫通要素をさらに備える、請求項１〜１２のいずれか一項に記載のニコチン粉末送達システム。
【請求項１４】
請求項１〜１３のいずれか一項に記載の複数のニコチン粉末送達システムを含む物品であって、貫通要素が前記物品に固定され、かつ前記貫通要素が前記エンドキャップ要素を通過し、前記ニコチン粉末カプセルに単一の孔を貫通させ、また前記ニコチン粉末送達システムが消費のために前記貫通要素および物品から取り外される、物品。
【請求項１５】
ニコチンを含む粒子を含むニコチン粉末を含み、かつエアロゾル化されたニコチン粉末を単一の開口部を通して放出するために前記ニコチンカプセルを通る前記単一の開口部のみを有する、すぐに消費できるニコチンカプセル。
【請求項１６】
ニコチンを吸入する方法であって、
ニコチン粉末吸入器を通して空気を吸入することと、ニコチンカプセルを通る単一の開口部のみを有する前記ニコチンカプセルを含むことと、前記単一の開口部を通して約２リットル／分未満の気流量でニコチンを含む粒子を前記空気中に放出して前記ニコチン粉末をユーザーの肺に送達することとを含む、方法。
【請求項１７】
ニコチンを含む粒子を前記単一の孔を通して前記空気中に放出する時に、空気を吸入する前記工程が前記ニコチンカプセルを長軸方向軸の周りで回転させる、請求項１６に記載の方法。
【請求項１８】
請求項１〜１４のいずれか一項に記載の複数の前記ニコチン粉末送達システムを含む物品であって、複数の貫通要素が前記物品に固定され、前記貫通要素の数が前記ニコチン粉末送達システムの数と等しい、物品。
【請求項１９】
前記複数の貫通要素のそれぞれが、対応するニコチン粉末カプセルに見当合わせされて挿入され、前記ニコチン粉末カプセル内に単一の開口部を形成する、請求項１８に記載の物品。
【発明の詳細な説明】
【技術分野】
【０００１】
本開示は、吸入器物品および吸入器物品内に配置されたニコチン粉末カプセルを含む、ニコチン粉末送達システムに関連する。ニコチン粉末カプセルは、空気が吸入器物品を通して流れる時、長軸方向軸の周りを回転しうる。
【背景技術】
【０００２】
乾燥粉末吸入器（ＤＰＩ）が周知であり、医薬品を含む乾燥粉末をエアロゾルの形態で、吸入によって患者の気道に送達することによって、呼吸器疾患を治療するために使用される。肺の中に送達するためには、１〜５マイクロメートルの範囲の粒子が好ましい。医薬品乾燥粉末において、医薬品有効成分（ＡＰＩ）は、より大きい担体粒子（ラクトースなど）の表面上に凝集している。ＤＰＩは複雑な機構で動作して、こうした凝集が分散、粉砕、または脱凝集されることを確実にし、その後、ＡＰＩを肺の中へと吸い込むことができるようになる。担体としてラクトースを含有する医薬品乾燥粉末は２０〜１００マイクロメートルの範囲とすることができる。
【０００３】
ＤＰＩは患者の吸入力に依存して装置からの粉末を混入し、その後、粉末を粉砕して、肺に入ることができるほどに小さい粒子にする。正しい用量および粉末の完全な脱凝集を確実にするために、十分に高い吸入量が要求される。通常は大量のＡＰＩが担体の表面に付着したまま残り、粉末の不完全な脱凝集によって上部気道に沈着される。既存のＤＰＩの吸入量は通常、２０〜１００リットル／分（Ｌ／ｍｉｎ）の範囲内である。従って、既存のＤＰＩは、喫煙物品での吸入量とは異なる方法で乾燥粉末をユーザーに送達することにしか適していない。
【０００４】
従来的な喫煙方法での吸入量または気流量の範囲内の吸入量または気流量で、ニコチン粒子を肺に送達するニコチン粉末送達システムを提供することが望ましいであろう。従来的な紙巻たばこと同様なサイズおよび構成の吸入器物品を備えたニコチン粉末送達システムを提供することもまた望ましいであろう。
【発明の概要】
【０００５】
ニコチン粉末送達システムは、吸入器物品および吸入器物品内に配置されたニコチン粉末カプセルを含む。吸入器物品を通した気流管理は、貫通可能なニコチン粉末カプセルを回転させ、ニコチン粉末を気流内に放出しうる。
【０００６】
吸入器物品は、マウスピース部分と遠位端部分の間に延びる吸入器本体を含む。ニコチン粉末容器は、吸入器本体内に、およびマウスピース部分と遠位端部分の間に配置される。空気吸込み口ポートは、吸入器本体を通して、ニコチン粉末容器内に延びる。マウスピース空気チャネルは、ニコチン粉末容器をマウスピースの近位端と流体接続する。ニコチン粉末を含むニコチン粉末カプセルは、ニコチン粉末容器内に配置される。ニコチン粉末カプセルは、空気が空気吸込み口ポートからマウスピース空気チャネルに流れる時、長軸方向軸の周りを回転しうる。
【０００７】
ニコチンを含む粒子を含むニコチン粉末を含む、すぐに消費できる状態にあるニコチンカプセルについて説明されており、このニコチンカプセルは、エアロゾル化したニコチン粉末を単一の開口部を通して放出するために、ニコチンカプセルを通る単一の開口部のみを有しうる。
【０００８】
ニコチンを吸入する方法は、ニコチン粉末吸入器を通して空気を吸入する工程を含み、ここで、ニコチン粉末吸入器は、ニコチンカプセルを通る単一の開口部のみを有するニコチンカプセルを含む。ニコチン粉末は、約２リットル／分未満の気流量で、単一の開口部を通して空気内に放出され、ニコチン粉末をユーザーの肺に送達する。
【０００９】
有利なことに、本明細書に記述されるニコチン粉末送達システムは、従来的な喫煙方法の吸入量または気流量の範囲内の吸入量または気流量でニコチンを送達する単純な吸入器およびカプセルシステムを提供しうる。有利なことに、ニコチン粉末送達システムは、ニコチン粉末放出のための単一の開口部を有するカプセルを利用しうる。有利なことに、単一の開口部は、ニコチン粉末送達システムの毎回の吸入または「吸煙」に伴う制御されたニコチン粉末放出を提供しうる。有利なことに、単一の開口部はニコチン粉末の急速な枯渇を阻止しうる。有利なことに、ニコチン粉末カプセルを回転することで、ニコチン粉末を浮遊させることができ、吸入器物品の気流チャネルを通して移動する吸入空気中でニコチン粉末をエアロゾル化する。
【００１０】
風味粒子はニコチン粉末と組み合わせられうる。これらの風味粒子は、ニコチン粒子よりも大きくてもよく、またニコチン粒子をユーザーの肺に送るのを助け、一方で風味粒子はユーザーの口または口腔に優先的に残る。
【００１１】
「ニコチン」という用語は、ニコチンおよびニコチン誘導体（遊離塩基ニコチン、ニコチン塩、ならびにこれに類するものなど）を意味する。
【００１２】
「風味剤」または「風味」という用語は、その消費または吸入の間にニコチンの味覚特性または芳香特性を変化させる、また変化させるよう意図される、感覚刺激性の化合物、組成物、または材料を意味する。「風味剤」または「風味」という用語は、風味抽出物製造業組合（ＦＥＭＡ）の風味成分ライブラリに開示された化合物、および特にＧＲＡＳ風味付け物質に関する出版物３〜２７（例えば、Ｈａｌｌ，  Ｒ．Ｌ．  ＆  Ｏｓｅｒ，  Ｂ．Ｌ．，  Ｆｏｏｄ  Ｔｅｃｈｎｏｌｏｇｙ，  Ｆｅｂｒｕａｒｙ  １９６５  ｐｇ  １５１−１９７）、ＧＲＡＳ風味付け物質２７（Ｓ．Ｍ．  Ｃｏｈｅｎ  ｅｔ  ａｌ．，  Ｆｏｏｄ  Ｔｅｃｈｎｏｌｏｇｙ  Ａｕｇ．  ２０１５  ｐｇ．  ４０−５９）、および介在するＧＲＡＳ風味付け物質に関する出版物４〜２６に開示された化合物を意味することが好ましい。本開示の目的において、ニコチンは風味剤または風味としては考えられない。
【００１３】
本明細書で述べる粒子のサイズは、粒子の空気動力学的粒子径を意味することが好ましい。粉末システムの空気動力学的粒子径は、カスケードインパクターで測定することが好ましい。
【００１４】
本開示は、吸入器物品を含むニコチン粉末送達システムに関連し、ニコチン粉末を含むニコチン粉末カプセルは吸入器物品内に配置されている。ニコチン粉末カプセルは、空気が吸入器物品を通して流れる時、長軸方向軸の周りを回転しうる。ニコチン粉末カプセルは、ニコチン粉末カプセルを通る唯一の開口部のみ（つまり、開口部一つ以下または二つ未満）を形成するように貫通されうる。ニコチン粉末およびオプションの風味粒子は、消費中に単一の開口部を抜け出しうる。吸入器物品を通した気流管理は、ニコチン粉末カプセルをニコチン粉末容器内で回転またはスピンさせて、ニコチン粉末のエアロゾルおよびオプションの風味粒子をマウスピースチャネル内に放出し、ユーザーに送達しうる。
【００１５】
ニコチン粉末送達システムは、ニコチン粒子を優先的にユーザーの肺に提供し、オプションの風味粒子を優先的にユーザーの頬部または口腔に提供する。ニコチン粉末構成要素およびオプションの風味粉末構成要素の相対的粒子サイズは、相互に組み合わせられた時でも安定を保つことができ、また自由流動の粉末であることが好ましい。ニコチン粉末は、単純な吸入器構造物を用いて、従来的な喫煙方法の吸入量または気流量の範囲内の吸入量または気流量で送達されてもよい。
【００１６】
吸入器物品はマウスピース部分と遠位端部分の間に延びる吸入器本体と、吸入器本体内およびマウスピース部分と遠位端部分の間に配置されるニコチン粉末容器とを含む。空気吸込み口ポートは、吸入器本体を通して、ニコチン粉末容器内に延びる。マウスピース空気チャネルは、ニコチン粉末容器およびマウスピースの近位端に流体接続する。吸入器本体は紙巻たばこと類似しうることが好ましい。
【００１７】
空気吸込み口ポートは、ニコチン粉末容器内でニコチン粉末カプセルを回転またはスピンさせるように配置・構成されうる。ニコチン粉末カプセルは、中心軸に沿った長さだけ延びる円形断面を備えた長円形状を有しうる。空気吸込み口ポートは、ニコチン粉末容器内に収容されたニコチン粉末カプセルの長軸方向（中心）軸に対して実質的に直行する方向で、ニコチン粉末容器内に空気を配向しうる。
【００１８】
空気吸込み口ポートは、ニコチン粉末容器内に収容されたニコチン粉末カプセルの長軸方向（中心）軸からオフセットしうる。オフセットした空気吸込み口は、消費者による吸入中にニコチン粉末容器内で、ニコチン粉末カプセルの回転またはスピンを誘発しうる。空気吸込み口ポートは、ニコチン粉末カプセルの長軸方向（中心）軸から約２ｍｍ、または約３ｍｍ、または約４ｍｍだけオフセットしうる。一つ以上の空気吸込み口ポートは、約０．５〜１．５ｍｍ、または約０．７〜約０．９ｍｍの直径を有しうる。空気吸込み口ポートは、ニコチン粉末容器内に収容されたニコチン粉末カプセルの外径に正接して空気を配向することが好ましい。
【００１９】
ニコチン粉末容器は、その中心軸に沿って（長さの距離だけ）延び、円筒形のニコチン粉末容器を形成する、円形の断面形状を有しうることが好ましい。ニコチン粉末容器は、中心軸に沿って延びる長さを持つ、ある半径を備えた直円柱を画定することが好ましい。空気吸込み口ポートは、円筒形のニコチン粉末容器に正接して、ニコチン粉末容器に進入しうる。円筒形のニコチン粉末容器に正接してニコチン粉末容器に進入する二つの空気吸込み口ポートがある。これらの空気吸込み口ポートは相互に対向し、第一の空気吸込み口ポートは第一の方向で、円筒形のニコチン粉末容器に正接して空気を配向し、第二の空気吸込み口ポートは、対向する、つまりは第一の方向と反対方向である第二の方向で、円筒形のニコチン粉末容器に正接して空気を配向することが好ましい。これらの対向する空気吸込み口ポートは、ニコチン粉末容器内に収容されたニコチン粉末カプセルの反対側で吸入空気を配向し、ニコチン粉末容器内に収容されたニコチン粉末カプセルの回転を促進しうる。
【００２０】
ニコチン粉末容器は、第一の直径を備えた円形の断面形状を有しうることが好ましい。ニコチン粉末容器内に収容されたニコチン粉末カプセルは、第一の直径よりも小さい第二の直径を有する。（ニコチン粉末カプセルの）第二の直径は、（ニコチン粉末容器の）第一の直径の約８０％〜約９９％、または約９０％〜約９８％の範囲としうることが好ましい。ニコチン粉末カプセルの直径は、ニコチン粉末容器の直径よりも約０．５〜約２ｍｍだけ小さいか、ニコチン粉末容器の直径よりも約１〜約２ｍｍだけ小さくしうることが好ましい。ニコチン粉末容器は、約１０ｍｍ〜約３０ｍｍ、または約１５ｍｍ〜約２５ｍｍ、または約２０ｍｍの範囲の長さを有しうる。
【００２１】
エンドキャップ要素は、約１２０ｍｍ  ＷＧよりも大きいか、約１２０ｍｍ  ＷＧ〜約２００ｍｍ  ＷＧの範囲もしくは約１２０ｍｍ  ＷＧ〜約１５０ｍｍ  ＷＧの範囲の引き出し抵抗（ＲＴＤ）を有する任意の貫通可能な材料で形成されうる。エンドキャップ要素を形成する有用な一つの材料は、酢酸セルロースまたは高密度酢酸セルロースとしうる。以下に説明する通り、貫通要素はエンドキャップ要素を貫通し、かつニコチン粉末カプセルの壁を貫通する単一の開口部を形成しうる。エンドキャップ要素を形成する材料は、材料内に形成された穴を実質的に塞ぎ、貫通要素が貫通要素から取り外されるとエンドキャップ要素を形成しうる。エンドキャップ要素は、約２ｍｍ〜約２０ｍｍ、または約５ｍｍ〜約１５ｍｍ、または約８ｍｍ〜約１２ｍｍ、または約１０ｍｍの範囲の長さを有しうる。
【００２２】
マウスピース部分は有用な任意の材料で形成されうる。マウスピース部分は、ニコチン粉末容器をマウスピースの近位端に流体接続する少なくとも一つの気流チャネルを持つ。マウスピース部分は、ニコチン粉末容器をマウスピースの近位端に流体接続する少なくとも二つの平行かつ同延の気流チャネルを有しうる。一つ以上のマウスピース気流チャネルは、少なくとも約０．５ｍｍの直径を有し、また約０．５ｍｍ〜約２ｍｍ、または約１ｍｍ〜約２ｍｍの範囲でもよい。一つ以上のマウスピース気流チャネルは、マウスピース部分の長さに沿って線形としうることが好ましい。マウスピース部分は、約１０ｍｍ〜約２５ｍｍ、または約１０ｍｍ〜約２０ｍｍの範囲の長さ、または約１５ｍｍの長さを有しうる。
【００２３】
ニコチン粉末送達システムは、１００ｍｍ  ＷＧ未満、または約５０ｍｍ  ＷＧ〜約１００ｍｍ  ＷＧの範囲の全体的な引き出し抵抗（ＲＴＤ）を有しうる。ニコチン粉末送達システムは紙巻たばこの構成を模倣しうる。ニコチン粉末送達システムまたは吸入器は、約４０ｍｍ〜約１１０ｍｍ、または約４０ｍｍ〜約８０ｍｍの範囲の長さ、および約５ｍｍ〜約１０ｍｍ、または約７ｍｍ〜約８ｍｍの範囲の直径を有しうる。
【００２４】
ニコチン粉末カプセルはニコチン粉末容器内に配置されうる。ニコチン粉末カプセルは、空気が一つ以上の空気吸込み口ポートから、ニコチン粉末容器を通過して、マウスピース空気チャネルに流れる時、その長軸方向軸または中心軸の周りを回転するように構成されうる。カプセルは、吸入器によって貫通または穿孔されうる気密材料で形成されてもよい。汚染物質をカプセル外に保つ役目を果たしうるが、カプセル内の粉末が消費される前に、貫通要素によって貫通または穿孔されうる金属材料または高分子材料でカプセルは形成されうる。カプセルはポリマー材料で形成されうる。ポリマー材料はヒドロキシプロピルメチルセルロース（ＨＰＭＣ）としうる。カプセルはサイズ２〜サイズ４のカプセル、またはサイズ３のカプセルであることが好ましい。
【００２５】
ニコチン粉末カプセルは、ニコチン粒子を含むニコチン粉末（「ニコチン粉末」または「ニコチンを含む粒子」ともいう）およびオプションの風味粒子を含む。ニコチン粉末カプセルは、所定の量のニコチン粒子およびオプションの風味粒子を含みうる。カプセルは、少なくとも２回のニコチンの吸入または「吸煙」、または少なくとも約５回のニコチンの吸入または「吸煙」、または少なくとも約１０回のニコチンの吸入または「吸煙」を提供するのに十分なニコチン粒子を含みうる。カプセルは、約５〜５０回のニコチンの吸入または「吸煙」、または約１０〜３０回のニコチンの吸入または「吸煙」を提供するのに十分なニコチン粒子を含みうることが好ましい。毎回のニコチン粒子の吸入または「吸煙」は、約０．１ｍｇ〜約３ｍｇのニコチン粒子をユーザーの肺に、または約０．２ｍｇ〜約２ｍｇのニコチン粒子をユーザーの肺に、または約１ｍｇのニコチン粒子をユーザーの肺に送達しうる。毎回の「吸煙」で、約５０〜約１５０マイクログラムのニコチンがユーザーの肺に送達されることが好ましい。
【００２６】
カプセルは、少なくとも約５ｍｇのニコチン粒子、または少なくとも約１０ｍｇのニコチン粒子を保持または含みうる。カプセルは約３０ｍｇ未満のニコチン粒子、または約２５ｍｇ未満のニコチン粒子、または２０ｍｇ未満のニコチン粒子を保持しうる、または含む。カプセルは、約５ｍｇ〜約３０ｍｇのニコチン粒子、または約１０ｍｇ〜約２０ｍｇのニコチン粒子を保持または含みうる。
【００２７】
カプセルの中で風味粒子がニコチン粒子とブレンドまたは組み合わせられた時、毎回の吸入または「吸煙」でユーザーに送達される所望の風味を提供する量の風味粒子が存在する。
【００２８】
ニコチンを含む粒子は、優先的にユーザーの肺に吸入送達するために有用な任意のサイズ分布を有してもよい。粉末システムは、約１０マイクロメートル以下の粒子サイズの粒子から成る粉末システムのニコチンの少なくとも約４０重量％、または少なくとも約６０重量％、または少なくとも約８０重量％を有してもよい。粉末システムは、約５マイクロメートル以下の粒子サイズの粒子から成る粉末システムのニコチンの少なくとも約４０重量％、または少なくとも約６０重量％、または少なくとも約８０重量％を有してもよい。粉末システムは、約１マイクロメートル〜約３マイクロメートルの範囲内の粒子サイズの粒子から成る粉末システムのニコチンの少なくとも約４０重量％、または少なくとも約６０重量％、または少なくとも約８０重量％を有してもよい。
【００２９】
ニコチン粉末中またはニコチン粒子中のニコチンは、医薬品として許容可能な遊離塩基ニコチン、またはニコチン塩もしくはニコチン塩水和物であってもよい。有用なニコチン塩またはニコチン塩水和物には例えば、ピルビン酸ニコチン、クエン酸ニコチン、アスパラギン酸ニコチン、乳酸ニコチン、重酒石酸ニコチン、サリチル酸ニコチン、フマル酸ニコチン、モノ−ピルビン酸ニコチン、グルタミン酸ニコチン、またはニコチン塩酸塩が挙げられる。ニコチンと結合して塩または塩水和物を形成する化合物は、その予想される薬理学的効果に基づいて選ばれてもよい。例えば、サリチル酸ニコチンは抗炎症薬または鎮痛剤として解熱のために投与されてもよく、フマル酸ニコチンは多発性硬化症を治療するために投与されてもよく、モノ−ピルビン酸ニコチンは慢性閉塞性肺疾患（ＣＯＰＤ）の治療または減量のために投与されてもよい。
【００３０】
ニコチンを含む粒子はアミノ酸を含みうる。アミノ酸はＬ−ロイシンなどのロイシンであってもよいことが好ましい。ニコチンを含む粒子にＬ−ロイシンなどのアミノ酸を提供すること、特にニコチンもしくはニコチンを含む粒子をアミノ酸で被覆することは、ニコチンを含む粒子の接着力を低減する場合があり、またニコチン粒子間の引力を低減し、従ってニコチン粒子の凝集を低減する場合がある。同様に、風味を含む粒子に対する接着力も低減する場合があり、従ってニコチン粒子の風味粒子との凝集も低減する場合がある。本明細書に記述される粉末システムは従って、自由流動の材料であってもよく、またニコチン粒子と風味粒子とが組み合わせられる時でも、各々の粉末構成成分の安定した相対的な粒子サイズを有しうる。
【００３１】
ニコチンは表面修飾したニコチン塩であってもよいことが好ましく、その場合、ニコチン塩粒子は被覆された粒子である。好ましい被覆材料はＬ−ロイシンである。特に有用な一つのニコチン粉末は、Ｌ−ロイシン被覆された重酒石酸ニコチンである。
【００３２】
ニコチン粉末カプセルは、オプションとして風味粒子を含みうる。風味粒子は、選択的にユーザーの口または口腔に吸入送達するために有用な任意のサイズ分布を有してもよい。
【００３３】
粉末システムは、約２０マイクロメートル以上の粒子サイズの粒子から成る粉末システムの風味の少なくとも約４０重量％、または少なくとも約６０重量％、または少なくとも約８０重量％を有してもよい。粉末システムは、約５０マイクロメートル以上の粒子サイズの粒子から成る粉末システムの風味の少なくとも約４０重量％、または少なくとも約６０重量％、または少なくとも約８０重量％を有してもよい。粉末システムは、約５０マイクロメートル〜約１５０マイクロメートルの範囲内の粒子サイズの粒子から成る粉末システムの風味の少なくとも約４０重量％、または少なくとも約６０重量％、または少なくとも約８０重量％を有してもよい。
【００３４】
風味剤または風味は、固体の風味として（約２２℃の室温および１気圧で）提供されてもよく、風味製剤、風味含有材料および風味前駆体を含んでもよい。風味剤は、一つ以上の天然風味剤、一つ以上の合成風味剤、または天然風味剤と合成風味剤との組み合わせを含んでもよい。本明細書に記述される風味剤は、ニコチン粉末構成要素の味覚特性または芳香特性をその消費または吸入の間に変化させるために、または変化させるよう意図するために選択・利用される感覚刺激性の化合物、組成物、または材料である。
【００３５】
風味剤または風味は、天然または合成に由来する各種の風味材料を意味する。これらには、単一の化合物および混合物が含まれる。風味または風味剤は、消費中にニコチン粉末構成要素の体験を高める風味特性を有することが好ましい。風味は、可燃性喫煙物品の喫煙の結果から得られるものと類似する体験を提供するように選択されることが好ましい。例えば、風味または風味剤は、口充足感および複雑さなどの風味特性を高めうる。複雑さは、単一の感覚属性が支配的になることなく、より豊かな風味の全体的なバランスが取れていることとして、一般的に知られている。口充足感は、消費者の口および喉の中での豊かさと量の知覚として説明される。
【００３６】
適切な風味には例えば、たばこ、煙、メントール、ミント（ペパーミントおよびスペアミントなど）、チョコレート、甘草、柑橘類およびその他の果実風味、γ八量体、バニリン、エチルバニリン、口臭消臭風味、スパイス風味（シナモンなど）、サルチル酸メチル、リナロール、ベルガモット油、ゼラニウム油、レモン油、およびジンジャー油、およびこれに類するものなどの任意の天然風味または合成風味が含まれるが、これらに限定されない。
【００３７】
その他の適切な風味には、酸、アルコール、エステル、アルデヒド、ケトン、ピラジン、これらの組み合わせまたはブレンド、およびこれに類するものから成る群から選択される風味化合物が含まれてもよい。適切な風味化合物は例えば、フェニル酢酸、ソラノン、メガスチグマトリエノン、２−ヘプタノン、ベンジルアルコール、ｃｉｓ−３−ヘキセニルアセタート、吉草酸、吉草酸アルデヒド、エステル、テルペン、セスキテルペン、ノートカトン、マルトール、ダマセノン、ピラジン、ラクトン、アネトール、ｉｓｏ−ｓ吉草酸、その組み合わせ、およびこれに類するものから成る群から選択されてもよい。
【００３８】
風味のさらなる特定の実施例は、現在の文献から見いだされる場合があり、また風味付け、すなわち、臭いまたは味覚を製品に付与する当業者に周知である。
【００３９】
風味剤は力価の高い風味剤であってもよく、吸入気流内で結果的に２００百万分率未満となるレベルで使用・検出される場合がある。こうした風味剤の例は、β−ダマセノン、２−エチル−３，５−ジメチルピラジン、フェニルアセトアルデヒド、グアイアコール、およびフラネオールなどの主なたばこ芳香化合物である。その他の風味剤は、より高い濃度レベルで人間によってのみ感知されうる。本明細書で力価がより低い風味剤と呼ばれるこれらの風味剤は一般に、吸入空気内に放出される風味剤が結果的に、桁違いに多い量のレベルで使用される。力価のより低い適切な風味剤には例えば、天然メントールまたは合成メントール、ペパーミント、スペアミント、コーヒー、茶、スパイス（シナモン、クローブ、およびショウガなど）、ココア、バニラ、果実風味、チョコレート、ユーカリ、ゼラニウム、オイゲノール、およびリナロールが含まれるが、これらに限定されない。
【００４０】
風味を含む粒子は、接着力または表面エネルギーおよび結果としてもたらされる凝集を低減する化合物を含んでもよい。風味粒子は接着力低減化合物を用いて表面修飾されて、被覆された風味粒子を形成してもよい。一つの好ましい接着力低減化合物は、ステアリン酸マグネシウムである。ステアリン酸マグネシウムなどの接着力低減化合物を風味粒子に提供すること、特に風味粒子を被覆することは、風味を含む粒子の接着力を低減し、また風味粒子の間の引力を低減する場合があり、従って風味粒子の凝集を低減する場合がある。ひいては、ニコチン粒子を有する風味粒子の凝集も低減する場合がある。従って、本明細書に記述される粉末システムは、ニコチン粒子と風味粒子が組み合わせられる時でも、ニコチンを含む粒子と風味を含む粒子の安定した相対的な粒子サイズを有してもよい。粉末システムは自由流動であることが好ましい。
【００４１】
乾燥粉末吸入用の従来的な製剤は一般に、活性粒子が吸入器を通る単純な気流による影響を受けるには小さすぎる場合があるため、活性粒子の流動化を増大するように機能する担体粒子を含有する。これらの担体粒子は通常、約５０マイクロメートル超の粒子サイズのラクトースまたはマンニトールなどのサッカリドである。担体粒子は製剤中で希釈剤または膨化剤として作用することによって、用量の均一性を改善するために利用される。本開示において、ラクトースまたはマンニトールなどの担体粒子は風味剤または風味材料であると見なされない。
【００４２】
本明細書に記述されるニコチン粉末送達システムとともに利用される粉末システムは、担体を含まなくてもよく、またはラクトースもしくはマンニトールなどのサッカリドを実質的に含まなくてもよい。担体を含まない、またはラクトースもしくはマンニトールなどのサッカリドを実質的に含まないことによって、ニコチンは吸入され、かつ一般的な喫煙方法での吸入量または気流量と類似の吸入量または気流量で、ユーザーの肺に送達できるようになる場合がある。さらに、ニコチンは担体を含まないか、またはラクトースもしくはマンニトールなどのサッカリドを実質的に含まないため、吸入器の気流経路は単純な幾何学的形状または単純な構成を有しうる。
【００４３】
ニコチン粉末と風味は、単一のカプセル内に組み合わせられてもよい。上述の通り、ニコチン粉末と風味はそれぞれ、低減された接着力を有してもよく、それらが安定した粉末製剤をもたらし、この場合ではニコチン粉末と風味が組み合わせられた時に各構成要素の粒子サイズは実質的に変化しない。別の方法として、粉末システムは、単一のカプセルの中に収容されたニコチン粒子と、第二のカプセルの中に収容された風味粒子とを含みうる。
【００４４】
ニコチン粒子および風味粒子は、ニコチン粒子とともに消費された時にユーザーによって風味粒子が検出されるように、任意の有用な相対的な量で組み合わせられてもよい。ニコチン粒子および風味粒子は、粉末システムの全重量の少なくとも約９０重量％、または少なくとも約９５重量％、または少なくとも約９９重量％、または１００重量％を形成することが好ましい。
【００４５】
このニコチン粉末送達システムおよび吸入器はあまり複雑でないものとすることができ、既存のＤＰＩと比較して簡易な粉末貯蔵場所および気流経路を有しうる。本明細書に記述されるニコチン粉末送達システムおよび吸入器は、上述した典型的な担体成分（ラクトースなど）を必要としない場合がある。有利なことに、吸入器内でのニコチン粉末カプセルの回転によって、ニコチン粉末をエアロゾル化し、自由流動の粉末の維持に役立ちうる。こうして、吸入器は、上述の乾燥ニコチン粉末を肺に深く送達するために、従来的なＤＰＩの典型的な高い吸入量を必要としない。
【００４６】
本発明によるニコチン吸入器は、約５  Ｌ／分未満または約３  Ｌ／分未満または約２  Ｌ／分未満または約１．６  Ｌ／分の流量を使用して作動しうる。流量は約１  Ｌ／分〜約３  Ｌ／分、または約１．５  Ｌ／分〜約２．５  Ｌ／分の範囲内であることが好ましい。吸入量または流量は、カナダ保健省（Ｈｅａｌｔｈ  Ｃａｎａｄａ）喫煙方法のそれと同様であり、約  １．６  Ｌ／分であることが好ましい。
【００４７】
本明細書に記述されるニコチン吸入器は、従来的な紙巻たばこの喫煙または電子たばこのベイピングなど、消費者によって使用されてもよい。こうした喫煙またはベイピングは二つの工程によって特徴付けられ、第一の工程では、消費者が所望するニコチンの全量を含有する少容量が口腔の中に引き出され、それに続く第二の工程では、所望の量のニコチンを含むエアロゾルを含むこの少容量が新鮮な空気によってさらに希釈され、肺の中により深く引き出される。どちらの工程も消費者によって制御される。第一の吸入工程中に、消費者は吸入されるニコチンの量を決定してもよい。第二の工程中に、消費者は肺の中により深く引き出される第一の量を希釈するための量を決定してもよく、気道の上皮表面に送達される有効な薬剤の濃度が最大化される。この喫煙のメカニズムは時に、「吸煙−吸入−吐出」と呼ばれる。
【００４８】
金属針または剛直な針などの貫通要素が、カプセルを通る単一の開口部を形成する。カプセルはニコチン粉末容器内に受けられ、また貫通要素はニコチン粉末容器内に受けられるカプセル内に開口部を貫通しうる。貫通要素はエンドキャップ要素を通過しうる。
【００４９】
貫通要素は、物品または複数のニコチン粉末送達システムを収容する包装用容器に、またはその内部に含まれうる。貫通要素は物品または包装用容器に固定されうる。単一の貫通要素は物品または包装用容器に固定されうることが好ましく、またユーザーが、ニコチン粉末吸入器のエンドキャップを通して、ニコチン粉末容器内に収容されたニコチンカプセル内に貫通要素を挿入して、カプセルを通る単一の開口部を形成することによって、ニコチン粉末吸入器内に収容されたニコチンカプセルに手動で穴をあけうることが好ましい。次にユーザーは貫通要素からニコチン粉末吸入器を引き出して、ニコチン粉末を消費する。
【００５０】
別の方法として、物品または包装用容器内に同数の貫通要素およびニコチン粉末送達システムがあってもよい。貫通要素は、それぞれのニコチン粉末吸入器エンドキャップと、ニコチン粉末容器内に収容されたニコチンカプセルに見当合わせされて挿入され、各カプセルを通る単一の開口部を形成する。次にユーザーは、各ニコチン粉末吸入器をそのそれぞれの貫通要素から引き出して、ニコチン粉末を消費する。
【００５１】
本明細書で使用されるすべての科学的および技術的な用語は、別途指定のない限り、当業界で一般に使用される意味を持つ。本明細書で提供した定義は、本明細書で頻繁に使用される特定の用語の理解を容易にするために提供されている。
【００５２】
「上流」および「下流」という用語は、吸入器本体を通して遠位端部分からマウスピース部分に引き出される際の吸入気流の方向に関して説明された吸入器の要素の相対的な位置を意味する。
【００５３】
単数形（「一つの（ａ）」、「一つの（ａｎ）」、および「その（ｔｈｅ）」）は本明細書で使用される場合、複数形の対象を有する実施形態を含蓄するが、その内容によって明らかに別途定められている場合はその限りではない。
【００５４】
「または」は一般的に、本明細書で使用される場合、「および／または」を含めた意味で使用されるが、その内容によって明らかに別途定められている場合はその限りではない。「および／または」という用語は、列挙された要素の一つまたはすべて、または列挙された要素のうちの任意の二つ以上の組み合わせを意味する。
【００５５】
「有する、持つ（ｈａｖｅ）」、「有している、持っている（ｈａｖｉｎｇ）」、「含む（ｉｎｃｌｕｄｅ）」、「含まれる（ｉｎｃｌｕｄｉｎｇ）」、「備える（ｃｏｍｐｒｉｓｅ）」、「備える（ｃｏｍｐｒｉｓｉｎｇ）」、またはこれに類するものは本明細書で使用される場合、制約のない意味で使用され、一般的に「含むが、これに限定されない」を意味する。「から本質的に成る」、「から成る」、およびこれに類する用語は、「含む」およびこれに類するものに包摂されることが理解されるであろう。
【００５６】
「好ましい」および「好ましくは」という語は、ある特定の状況下で、ある特定のメリットをもたらし得る本発明の実施形態を指す。ただし、同一またはその他の状況下で、その他の実施形態もまた好ましいものでありうる。その上、一つ以上の好ましい実施形態の列挙は、その他の実施形態が有用ではないことを暗に意味するものではなく、請求の範囲を含む本開示の範囲からその他の実施形態を除外するものではない。
【図面の簡単な説明】
【００５７】
【図１】図１は、例示的なニコチン粉末送達システム１の概略図である。
【図２】図２は、例示的なニコチン粉末送達システム１の概略図である。
【図３】図３は、例示的なニコチン粉末送達システム１を包装する、例示的な物品１１、１２の概略図である。
【図４】図４は、例示的なニコチン粉末送達システム１を包装する、例示的な物品１１、１２の概略図である。
【図５】図５は、例示的なニコチン粉末送達システム１を包装する例示的な物品１２の側面概略図である。
【００５８】
概略図の縮尺は必ずしも正確なものではなく、図示の目的で提示されるものであり、限定するものではない。図面は本開示で説明される一つ以上の態様を図示する。ただし、図面に描かれていないその他の態様が本開示の範囲および精神に則るものと理解される。
【発明を実施するための形態】
【００５９】
図１および図２を参照すると、ニコチン粉末送達システムは、マウスピース部分５と遠位端部分３またはエンドキャップ要素３との間に延びる吸入器本体２を含む吸入器物品１を含む。カプセルくぼみ８を画定するニコチン粉末容器９は、吸入器本体２内およびマウスピース部分５と遠位端部分３の間に配置される。空気吸込み口ポート４は、吸入器本体２を通り、ニコチン粉末容器９内に延びる。マウスピース空気チャネル１０は、ニコチン粉末容器９をマウスピース５の近位端と流体接続する。ニコチン粉末カプセル６は、ニコチン粉末容器９内に配置される。ニコチンを含む粒子７および風味を含むオプションの粒子は、ニコチン粉末カプセル６内に配置される。上述の通り、貫通要素は遠位端部分３またはエンドキャップ要素３を通過して、消費のためにニコチン粉末カプセル６内に単一の開口部を形成しうる。空気吸込み口ポート４を通した気流管理によって、空気が空気吸込み口ポート４から下流にマウスピース空気チャネル１０へと流れる時、ニコチン粉末カプセル６をその長軸方向軸の周りで回転させる。
【００６０】
図３は、例示的なニコチン粉末送達システム１を包装する例示的な物品１１の側面概略図である。物品１１は、複数のニコチン粉末送達システム１および単一の貫通要素１３を含む容器１５を含む。ユーザーは、ニコチン粉末送達システム１を容器１５から取り外し、また貫通要素１３がカプセル６を貫通して、カプセル６を通る単一の開口部を形成するまで、ニコチン粉末送達システム１のエンドキャップ要素３を貫通要素１３に挿入する。次にユーザーは貫通したニコチン粉末送達システム１を貫通要素１３から取り外して、ニコチン粉末を消費する。貫通要素１３は物品１１に固定される。貫通されたニコチン粉末送達システム１は、貫通要素１３の位置を図示するために、断面で示されている。
【００６１】
図４は、例示的なニコチン粉末送達システム１を包装する例示的な物品１２の上面概略図である。図５は、例示的なニコチン粉末送達システム１を包装する例示的な物品１２の側面概略図である。物品１２は、複数のニコチン粉末送達システム１と、包装用容器１２内の同数の貫通要素１３およびニコチン粉末送達システム１とを含む容器１５を含む。
【００６２】
ここで、貫通要素１３は、各貫通要素がカプセル６を通過して、カプセル６を通る単一の開口部を形成するように、各ニコチン粉末送達システム１上に予め装填される。ユーザーは貫通したニコチン粉末送達システム１を貫通要素１３から取り外して、ニコチン粉末を消費する。複数の貫通要素１３は、物品１２に固定される。一つのニコチン粉末送達システム１が、それぞれの貫通要素１３の位置を図示するために、断面で示されている。貫通要素１３は、それぞれのニコチン粉末吸入器エンドキャップ３と、ニコチン粉末容器内に収容されたニコチンカプセル６に見当合わせされて挿入される。次にユーザーは、各ニコチン粉末吸入器１をそのそれぞれの貫通要素１３から引き出して、ニコチン粉末を消費する。
【図１】
2019506914.tif 000003
【図２】
2019506914.tif 000004
【図３】
2019506914.tif 000005
【図４】
2019506914.tif 000006
【図５】
2019506914.tif 000007
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
ニコチン粉末送達システムであって、
吸入器物品であって、
マウスピース部分と遠位端部分の間に延びる吸入器本体と、
前記吸入器本体内、および前記マウスピース部分と前記遠位端部分の間に配置されたニコチン粉末容器と、
前記吸入器本体を通り前記ニコチン粉末容器内に延びる空気吸込み口ポートと、
前記ニコチン粉末容器を前記マウスピースの近位端と流体接続させるマウスピース空気チャネルと、
前記遠位端部分に配置されたエンドキャップ要素であって、前記エンドキャップ要素が、貫通要素が取り除かれたときに貫通要素によって形成される穴を実質的に塞ぐ貫通可能材料で形成されるものとを備えるものと、
前記ニコチン粉末容器内に配置されているニコチン粉末を含むニコチン粉末カプセルであって、空気が前記空気吸込み口ポートから前記マウスピース空気チャネルに流れる時、前記ニコチン粉末カプセルが長軸方向軸の周りを回転するものとを備え、
貫通要素が前記エンドキャップ要素を通過することができ、かつ前記ニコチン粉末カプセルの壁を通る単一の開口部を形成する、ニコチン粉末送達システム。
【請求項２】
前記空気吸込み口ポートが前記ニコチン粉末カプセルの前記長軸方向軸からオフセットされている、請求項１に記載のニコチン粉末送達システム。
【請求項３】
前記ニコチン粉末容器が円形の断面形状を有し、かつ前記空気吸込み口ポートが前記ニコチン粉末容器に正接する、請求項１または２に記載のニコチン粉末送達システム。
【請求項４】
前記空気吸込み口ポートが第一の空気吸込み口ポートおよび第二の空気吸込み口ポートを備える、請求項１〜３のいずれか一項に記載のニコチン粉末送達システム。
【請求項５】
前記ニコチン粉末容器が円形の断面形状を有し、かつ前記第一の空気吸込み口ポートが前記ニコチン粉末容器に正接し、前記第二の空気吸込み口ポートが前記ニコチン粉末容器に正接する、請求項４に記載のニコチン粉末送達システム。
【請求項６】
前記第一の空気吸込み口ポートが前記第二の空気吸込み口ポートに対向する、請求項５に記載のニコチン粉末送達システム。
【請求項７】
前記ニコチン粉末容器が円形の断面形状および第一の直径を有し、また前記ニコチン粉末カプセルが前記第一の直径よりも小さい第二の直径を有し、前記第二の直径が前記第一の直径約８０％〜約９９％の範囲であるか、または前記第二の直径が前記第一の直径の約９０％〜約９８％の範囲である、請求項１〜６のいずれか一項に記載のニコチン粉末送達システム。
【請求項８】
エンドキャップ要素が約１２０ｍｍ  ＷＧよりも大きな引き出し抵抗（ＲＴＤ）を有し、前記ニコチン粉末送達システムが約５０ｍｍ  ＷＧ〜約１００ｍｍ  ＷＧの範囲の引き出し抵抗（ＲＴＤ）を有する、請求項１〜７のいずれか一項に記載のニコチン粉末送達システム。
【請求項９】
前記ニコチン粉末がニコチンを含む粒子を含み、約１０マイクロメートル以下、または約５マイクロメートル以下、または約１マイクロメートル〜約３マイクロメートルの範囲の空気動力学的中央粒子径を有する、請求項１〜８のいずれか一項に記載のニコチン粉末送達システム。
【請求項１０】
前記ニコチンを含む粒子がニコチン塩またはニコチン塩水和物を含む、請求項９に記載のニコチン粉末送達システム。
【請求項１１】
前記ニコチンを含む粒子が、ロイシン被覆またはＬ−ロイシン被覆などのアミノ酸被覆を含む、請求項９または１０に記載のニコチン粉末送達システム。
【請求項１２】
前記ニコチン粉末カプセルが、風味を含む粒子を含み、約２０マイクロメートル以上、または約５０マイクロメートル〜約１５０マイクロメートルの範囲の空気動力学的中央粒子径を有する、請求項９または１０に記載のニコチン粉末送達システム。
【請求項１３】
前記エンドキャップ要素を通過し、前記ニコチン粉末カプセルに単一の開口部を貫通させる貫通要素をさらに備える、請求項１〜１２のいずれか一項に記載のニコチン粉末送達システム。
【請求項１４】
請求項１〜１３のいずれか一項に記載の複数のニコチン粉末送達システムを含む物品であって、貫通要素が前記物品に固定され、かつ前記貫通要素が前記エンドキャップ要素を通過し、前記ニコチン粉末カプセルに単一の孔を貫通させ、また前記ニコチン粉末送達システムが消費のために前記貫通要素および物品から取り外される、物品。
【請求項１５】
ニコチンを含む粒子を含むニコチン粉末を含み、かつエアロゾル化されたニコチン粉末を単一の開口部を通して放出するために前記ニコチンカプセルを通る前記単一の開口部のみを有する、すぐに消費できるニコチンカプセル。
【請求項１６】
ニコチンを吸入する方法であって、
ニコチン粉末吸入器を通して空気を吸入することと、ニコチンカプセルを通る単一の開口部のみを有する前記ニコチンカプセルを含むことと、前記単一の開口部を通して約２リットル／分未満の気流量でニコチンを含む粒子を前記空気中に放出して前記ニコチン粉末をユーザーの肺に送達することとを含む、方法。
【請求項１７】
ニコチンを含む粒子を前記単一の孔を通して前記空気中に放出する時に、空気を吸入する前記工程が前記ニコチンカプセルを長軸方向軸の周りで回転させる、請求項１６に記載の方法。
【請求項１８】
請求項１〜１４のいずれか一項に記載の複数の前記ニコチン粉末送達システムを含む物品であって、複数の貫通要素が前記物品に固定され、前記貫通要素の数が前記ニコチン粉末送達システムの数と等しい、物品。
【請求項１９】
前記複数の貫通要素のそれぞれが、対応するニコチン粉末カプセルに見当合わせされて挿入され、前記ニコチン粉末カプセル内に単一の開口部を形成する、請求項１８に記載の物品。
【請求項２０】
エンドキャップ要素が酢酸セルロースを含む、請求項１〜１３のいずれか１項に記載のニコチン粉末送達システム。
【国際調査報告】
2019506914.tif 000008
2019506914.tif 000009
2019506914.tif 000010
2019506914.tif 000011
2019506914.tif 000012